(57)【特許請求の範囲】
【請求項１】
ビューファインダー本体に設けた取り付け部に画像拡大用レンズ体の筒状の取付部を挿入してビューファインダー本体に画像拡大用のレンズ体を着脱可能に取り付けるビューファインダーにおいて、前記画像拡大用レンズ体には突起物を有し、前記ビューファインダー本体には前記画像拡大用レンズ体の突起物を軸方向に案内する案内溝と該案内溝と連通して周方向に延びる固定溝を有するとともに該固定溝に連通して周方向に延在しビューファインダー本体取付部肉厚を貫通する貫通溝を設けて該貫通溝とビューファインダー本体取付部の軸方向の端部とで桟を形成し、該桟の固定溝側を滑らかなＲ形状とし、さらに前記固定溝の一部に突起物を形成し、レンズ体取付部の突起物は前記桟のＲ形状部と前記固定溝の突起物を押圧して前記桟をたわませながら軸方向及び径方向に押し出して、前記桟のＲ形状部と前記固定溝の突起物を通過してビューファインダー本体に画像拡大用レンズ体が取り付けられ、前記レンズ体取付部の突起物は前記Ｒ形状部と前記固定溝の突起物で固定されることを特徴とするビューファインダー。
【発明の詳細な説明】
【０００１】
【発明の属する技術分野】
本発明は、ビデオカメラ等のモニターとして使用されるビューファインダーに関するものである。
【０００２】
【従来の技術】
図１はビューファインダーの外観図であり、（ａ）は正面図、（ｂ）は平面図、（ｃ）は左側面図である。１は画像拡大用レンズ体、２はビューファインダー本体であり、それぞれは着脱可能に取り付けられて成るものである。
【０００３】
画像拡大用レンズ体とビューファインダー本体との取付構造について、図を参照して説明する。図２は従来の画像拡大用レンズ体を示す図であり、（ａ）は正面図、（ｂ）は右側面図である。図３はビューファインダー本体の取付部を示す斜示図である。図４は画像拡大用レンズ体とビューファインダー本体との組図である。
【０００４】
画像拡大用レンズ体１の取付部内周に突起物３を形成し、ビューファインダー本体２の取付部には画像拡大用レンズ体１に形成した突起物３を軸方向に案内する案内溝４と該案内溝４と連続する周方向に延びる固定溝５が形成されている。該固定溝５に連通して周方向に延在し、ビューファインダー本体取付部肉厚を貫通した貫通溝６を設け、貫通溝６とビューファインダー本体取付部の軸方向端部とで桟７を形成し、さらに該桟７の中央部固定溝側に突き出す突起物８を形成する。
【０００５】
前記画像拡大用レンズ体１の取付部の突起物３とビューファインダー本体２の取付部に形成された軸方向案内溝４とを合わせて差し込み、軸方向案内溝４と連続し周方向に形成した固定溝５にそって回転することにより、図４に示すように前記ビューファインダー本体１の取付部にある突起物８で画像拡大用レンズ体取付部の突起物３を固定している。回転する際、レンズ体の突起物３がビューファインダー取付部の突起物８を軸方向に押し出し桟７をたわませながら通過し固定される。ビューファインダー本体取付部肉厚を貫通した貫通溝６により、たわませながら回転することを可能にしている。
【０００６】
【発明が解決しようとする課題】
前記構成の画像拡大用レンズ体とビューファインダー本体の取付固定は、桟の固定溝側に設けた突起物のみで行われるので、その嵌合力は前記突起物に集中する。このため、樹脂で形成された画像拡大用レンズ体とビューファインダー本体はその着脱を繰り返す度に両者に設けられた突起物が削られてしまう。これにより発生する削れカスはビューファインダー取付部に設けられた貫通溝から画像拡大用レンズ体とビューファインダー本体内部に侵入し、レンズ体のレンズやビューファインダー本体のディスプレイ面に付着してしまう。これにより映像を見づらくさせるという問題がある。
【０００７】
また、突起物が削られてしまうことにより、着脱時の嵌合力が失われてしまい、画像拡大用レンズ体とビューファインダー本体との取付、固定力を低下させてしまう。
【０００８】
本発明は、画像拡大用レンズ体とビューファインダー本体の着脱による突起物の削れカス発生を無くし、着脱時の嵌合力を確保できる構造を有するビューファインダーを提供する。
【０００９】
【課題を解決するための手段】
ビューファインダー本体に設けた取り付け部に画像拡大用レンズ体の筒状の取付部を挿入してビューファインダー本体に画像拡大用のレンズ体を着脱可能に取り付けるビューファインダーにおいて、前記画像拡大用レンズ体には突起物を有し、前記ビューファインダー本体には前記画像拡大用レンズ体の突起物を軸方向に案内する案内溝と該案内溝と連通して周方向に延びる固定溝を有するとともに該固定溝に連通して周方向に延在しビューファインダー本体取付部肉厚を貫通する貫通溝を設けて該貫通溝とビューファインダー本体取付部の軸方向の端部とで桟を形成し、該桟の固定溝側を滑らかなＲ形状とし、さらに前記固定溝の一部に突起物を形成し、レンズ体取付部の突起物は前記桟のＲ形状部と前記固定溝の突起物を押圧して前記桟をたわませながら軸方向及び径方向に押し出して、前記桟のＲ形状部と前記固定溝の突起物を通過してビューファインダー本体に画像拡大用レンズ体が取り付けられ、前記レンズ体取付部の突起物は前記Ｒ形状部と前記固定溝の突起物で固定されることを特徴とするビューファインダーとする。
【００１０】
【発明の実施の形態】
図５は本発明の一実施形態のビューファインダー本体の取付部を示す斜示図である。図６は本発明のビューファインダー本体の取付部の拡大図である。ビューファインダー本体９には画像拡大用レンズ体（従来例と同様）の突起物を軸方向に案内する案内溝１０と該案内溝１０と連通して周方向に延びる固定溝１１を有するとともに該固定溝１１に連通して周方向に延在しビューファインダー本体９の取付部肉厚を貫通する貫通溝１２を設けて該貫通溝１２とビューファインダー本体９の取付部の軸方向の端部とで桟１３を形成している。前記桟１３は、固定溝１１側に若干膨らみをもたせたＲ形状部１３ａを有する。さらに前記固定溝の一部に径方向に突き出す突起物１４を形成する。前記画像拡大用レンズ体取付部の突起物をビューファインダー本体９の取付部に形成された軸方向案内溝１０に合わせて差し込み、前記桟１３のＲ形状部１３ａと前記固定溝１１の突起物１４を押圧し、前記桟１３をたわませながら軸方向及び径方向に押し出して、前記桟１３のＲ形状部１３ａと前記固定溝１１の突起物１４を通過させてビューファインダー本体９に画像拡大用レンズ体が取り付けられて固定される。前記構成のように、押圧部を桟のＲ形状部１３ａと固定溝の突起物１４の２カ所としたことで、Ｒ形状部１３ａは滑らかに形成でき、固定溝の突起物１４はその高さを低くすることができ着脱時の嵌合力を分散することができる。よって着脱時の嵌合力を１カ所に集中させることが無くなるので突起物の削れカスの発生を抑えられる。また、嵌合力は桟のＲ形状部１３ａにより軸方向に押圧することと、固定溝の突起物１４により径方向に押圧することで十分確保することができる。
【００１１】
【発明の効果】
押圧する部分を桟のＲ形状部と固定溝の突起物の２カ所としたことで、Ｒ形状部は滑らかに形成でき、固定溝の突起物はその高さを低くすることができ着脱時の嵌合力を分散することができる。よって着脱時の嵌合力を１カ所に集中させることが無くなるので削れカスの発生を抑えられる。また、嵌合力は桟のＲ形状部により軸方向に押圧することと、固定溝の突起物により径方向に押圧することで十分確保することができる。
【００１２】
ビューファインダー本体取付部に形成された桟の固定溝側の形状を滑らかなＲ形状としたので画像拡大用レンズ体の突起物と案内溝、固定溝の嵌合が滑らかになる。
【図面の簡単な説明】
【図１】ビューファインダーの外観図であり、（ａ）は正面図、（ｂ）は平面図、（ｃ）は左側面図。
【図２】従来の画像拡大用レンズ体を示す図であり、（ａ）は正面図、（ｂ）は右側面図。
【図３】ビューファインダー本体の取付部を示す斜示図。
【図４】画像拡大用レンズ体とビューファインダー本体との組図。
【図５】本発明の一実施形態のビューファインダー本体の取付部を示す斜示図。
【図６】本発明のビューファインダー本体の取付部の拡大図。
【符号の説明】
１    画像拡大用レンズ体
２    ビューファインダー本体
３    突起物
４    案内溝
５    固定溝
６    貫通溝
７    桟
８    突起物
９    ビューファインダー本体
１０    案内溝
１１    固定溝
１２    貫通溝
１３    桟
１３ａ  Ｒ形状部
１４    突起物
【図１】
0003792415.tif 000002
【図２】
0003792415.tif 000003
【図３】
0003792415.tif 000004
【図４】
0003792415.tif 000005
【図５】
0003792415.tif 000006
【図６】
0003792415.tif 000007